(57)【要約】【課題】  理容・美容のレッスン用として、より人間の頭髪に近いものを提供することができるレッスン・ウイッグ用毛髪束およびその製造方法を提供することを目的とする。【解決手段】  本発明のレッスン・ウイッグ用毛髪束は、ベース、およびこのベースの上に、全て根元側を固定された多数本の頭髪である人毛を備えたレッスン・ウイッグ用毛髪束であって、前記の多数本の人毛におけるキューティクルの向きが揃えられていることを特徴とする。より具体的には、前記人毛は、それらのキューティクルが人毛の根元から先端に向かうようにして延びていることが好ましい。【選択図】図１
2020125553.tif 000002
【特許請求の範囲】
【請求項１】
ベース、およびこのベースの上に、全て根元側を固定された多数本の頭髪である人毛を備えたレッスン・ウイッグ用毛髪束であって、前記の多数本の人毛におけるキューティクルの向きが揃えられていることを特徴とするレッスン・ウイッグ用毛髪束。
【請求項２】
前記人毛は、それらのキューティクルが人毛の根元から先端に向かうようにして延びている請求項１のレッスン・ウイッグ用毛髪束。
【請求項３】
人間の頭皮から延びる人毛を多数本束ねて把持し、それらの人毛をそのままの状態で刈り取り、最後に、刈り取った多数本の人毛を、刈り取ったときの状態を保ったままで、ベースにそれらの根元側を固定することを特徴とするレッスン・ウイッグ用毛髪束の製造方法。
【請求項４】
前記人毛は、それらのキューティクルが人毛の根元から先端に向かうようにして延びている請求項３のレッスン・ウイッグ用毛髪束の製造方法。
【発明の詳細な説明】
【技術分野】
【０００１】
本発明は、レッスン・ウイッグ用毛髪束およびその製造方法に関し、さらに詳細には、理容や美容の技術を習得するためのレッスン（練習用）マネキンウィッグに装着される毛髪束およびその製造方法に関する。
【背景技術】
【０００２】
従来、この種の製品分野では、その商品の性質上ヘア原料として人毛が最適で広く用いられているが、近年女性のヘアースタイルが変化した結果、頭髪が全体的に短くなったこと、パーマネントウェーブ処理された頭髪が多くなったこと等により人毛原料に適したストレートで長いものの量的確保が困難となり、特に良質で長さの揃った原料を入手することは殆ど不可能となっている。そのため、人毛の代替原料としてモダアクリル、アクリル、ポリエステル、ナイロン、ビニロン、塩ビファイバー等の合成繊維を用いる試みが数多くなされてきたが、本製品分野の品質要求であるシザース或いはレザーによる切れ味、刃の耐久性が基本的に異なり、代替の目的を充分に果たす迄には至っていない。
【０００３】
また、現在使用されている人毛も製品に適用される前にキューティクルを化学処理により除去することに始まり、更に殺菌、脱色、光沢付与等多くの処理工程を経ており、更に太さ、硬さ、長さ等に人種或いは個人差もあり、常にその品質は一定ではなく、理容・美容の基礎であるカット技術を習得するための材料としては必ずしも万全であるとはいえないのが実情である。
【０００４】
そこで、特開平１０−１６８６２８号公報に記載されているように、ヘアー原料として、蛋白系繊維を用いることが提案されている。
しかしながら、この蛋白系繊維においても、前記キューティクル用のものがないので、人毛の代替物としては不十分である。
【先行技術文献】
【特許文献】
【０００５】
【特許文献１】特開平１０−１６８６２８号公報
【発明の概要】
【発明が解決しようとする課題】
【０００６】
本発明は、理容・美容のレッスン用として、より人間の頭髪に近いものを提供することができるレッスン・ウイッグ用毛髪束およびその製造方法を提供することを目的とする。
【課題を解決するための手段】
【０００７】
本発明の上記課題は、以下の（１）〜（４）の構造のレッスン・ウイッグ用毛髪束およびその製造方法によって達成することができる。
（１）
ベース、およびこのベースの上に、全て根元側を固定された多数本の頭髪である人毛を備えたレッスン・ウイッグ用毛髪束であって、前記の多数本の人毛におけるキューティクルの向きが揃えられていることを特徴とするレッスン・ウイッグ用毛髪束。
（２）
前記人毛は、それらのキューティクルが人毛の根元から先端に向かうようにして延びている前記（１）のレッスン・ウイッグ用毛髪束。
（３）
人間の頭皮から延びる人毛を多数本束ねて把持し、それらの人毛をそのままの状態で刈り取り、最後に、刈り取った多数本の人毛を、刈り取ったときの状態を保ったままで、ベースにそれらの根元側を固定することを特徴とするレッスン・ウイッグ用毛髪束の製造方法。
（４）
前記人毛は、それらのキューティクルが人毛の根元から先端に向かうようにして延びている前記（３）のレッスン・ウイッグ用毛髪束の製造方法。
【発明の効果】
【０００８】
本発明のレッスン・ウイッグ用毛髪束においては、レッスン・ウイッグにおける毛髪のキューティクルの方向が一方向に、特に毛髪の根元から先端に向かって揃えられているので、本物の人間に寄り近く、パーマネント、カット、染色、シャンプー等、より実際に近い練習ができる。
【図面の簡単な説明】
【０００９】
【図１】本発明のレッスン・ウイッグ用毛髪束の概略図である。
【図２】本発明のレッスン・ウイッグ用毛髪束の製造方法を説明するための図である。
【発明を実施するための形態】
【００１０】
以下、添付図面を参照しつつ、本発明の実施形態によるレッスン・ウイッグ用毛髪束およびその製造方法ついて説明する。
本発明の実施形態によるレッスン・ウイッグ用毛髪束１０は、レッスン用マネキンの頭皮の一部を覆うようなサイズであって、図１に示したように、布または合成樹脂シート製のテープ状等のベース１２、およびこのベース１２の上に、全て根元側１４ａを固定された多数本の人間の頭髪である人毛１４を備えている。それら多数本の人毛１４においては、そのキューティクルの向きが全て揃えられている。
【００１１】
具体的には、前記人毛１４は、それらが人間の頭皮に生えているときと同様、それらのキューティクルが人毛の根元から先端に向かうようにして延びていることが好ましい。
【００１２】
次に、上記したレッスン・ウイッグ用毛髪束１０の製造方法について説明する。
まず、人間の頭皮から延びる人毛（図２の（ａ）参照）を多数本束ねて把持し（図２の（ｂ）参照）、それらの人毛１４をそのままの状態で刈り取る。最後に、刈り取った多数本の人毛１４を、刈り取ったときの状態を保ったままで、ベース１２にそれらの根元側１４ａを固定して取り付ける。
【００１３】
前記人毛１４は、それらのキューティクルが人毛の根元１４ａから先端１４ｂに向かうようにして延びていることが好ましい。
【００１４】
前記の刈り取った人毛１４のベース１２への固定は、ミシンでの継ぎ合わせにより行うことが好ましい。固定方法は、これに限らず、接着剤等による接着であってもよい。
【００１５】
以上説明したレッスン・ウイッグ用毛髪束１０は、所定の形状に複数組み合わせる、すなわち継ぎ合わせることにより、ウイッグを形成する。
【００１６】
本発明のレッスン・ウイッグ用毛髪束においては、レッスン・ウイッグにおける毛髪のキューティクルの方向が一方向に、特に毛髪の根元から先端に向かって揃えられているので、本物の人間に寄り近く、パーマネント、カット、染色、シャンプー等、より実際に近い練習ができる。
【符号の説明】
【００１７】
１０  レッスン・ウイッグ用毛髪束  １  瞼様形成テープ
１２  ベース
１４  毛髪
１４ａ  毛髪の根元側
１４ｂ  毛髪の先端側
【図１】
2020125553.tif 000003
【図２】
2020125553.tif 000004